(57)【特許請求の範囲】
【請求項１】
コンテンツの記録処理および再生処理を行う記録再生装置であって、
放送波を通じて得られるコンテンツ、ネットワーク経由で得られるコンテンツ、およびリムーバブルな記録メディアから得られるコンテンツのうち少なくとも二つのコンテンツについて、再生処理を行うコンテンツのタイトル情報を前記コンテンツの取得元より前記コンテンツの再生前に取得するタイトル情報取得手段と、
前記タイトル情報取得手段により取得されるタイトル情報を履歴として一括で保持する履歴保持手段と、
コンテンツを取得する際に、そのコンテンツが既に再生済みであるか否かを前記履歴保持手段に保持される履歴に基づいて判別し、再生済みである場合にその旨を通知する制御手段と
を具備することを特徴とする記録再生装置。
【請求項２】
コンテンツを取得することは、コンテンツをダウンロードすることを含むことを特徴とする請求項１に記載の記録再生装置。
【請求項３】
前記タイトル情報取得手段は、
放送波を通じて得られるコンテンツについては、ＥＰＧ（Electronic Program Guide）からタイトル情報を取得し、
ネットワーク経由で得られるコンテンツについては、そのコンテンツを提供するサーバからネットワーク経由でタイトル情報を取得し、
リムーバブルな記録メディアから得られるコンテンツについては、その記録メディアにタイトル情報が記録されている場合にはその記録メディアからタイトル情報を取得し、一方、その記録メディアにタイトル情報が記録されていない場合には当該記録メディアもしくは当該コンテンツに固有な情報をもとに所定のサーバからネットワーク経由でタイトル情報を取得する
ことを特徴とする請求項１又は２に記載の記録再生装置。
【請求項４】
外部機器からネットワーク経由で送信される所定のコマンドに応じて、前記履歴保持手段に保持される履歴の中のタイトル情報の一覧を前記外部機器へ送信する制御手段を具備することを特徴とする請求項１乃至３のいずれかに記載の記録再生装置。
【請求項５】
外部機器からネットワーク経由で送信されるタイトル情報またはタイトル情報の一部に応じて、そのタイトル情報を前記履歴の中から検索し、検索結果を前記外部機器に返信する制御手段を具備することを特徴とする請求項１乃至４のいずれかに記載の記録再生装置。
【請求項６】
コンテンツのダウンロード時もしくは録画予約設定時に、そのコンテンツのタイトル情報を前記履歴内から検索し、該当するタイトル情報が存在する場合、注意を促す表示を行う制御手段を具備することを特徴とする請求項１乃至５のいずれかに記載の記録再生装置。
【請求項７】
タイトル情報を履歴として保存するか否かについてユーザが指定できる画面を表示させる制御手段を具備することを特徴とする請求項１乃至６のいずれかに記載の記録再生装置。
【請求項８】
前記履歴保持手段は、前記再生処理を行ったコンテンツのタイトル情報に加えて、前記記録処理を行ったコンテンツのタイトル情報を保持することを特徴とする請求項１乃至７のいずれかに記載の記録再生装置。
【請求項９】
前記履歴についてユーザが変更できる画面を表示させる制御手段を具備することを特徴とする請求項１乃至８のいずれかに記載の記録再生装置。
【請求項１０】
前記記録再生装置と前記外部機器との間で所定の認証処理を行い、認証が成功した場合に前記記録再生装置から前記外部機器への情報提供を許可する制御手段を具備することを特徴とする請求項４又は５に記載の記録再生装置。
【請求項１１】
前記タイトル情報取得手段は、再生処理を行ったコンテンツに付随するものとして別途得られる別コンテンツのタイトル情報を取得する手段を具備し、
前記履歴保持手段は、前記別コンテンツのタイトル情報についても保持することを特徴とする請求項１乃至１０のいずれかに記載の記録再生装置。
【請求項１２】
前記別コンテンツのタイトル情報に関するメッセージ表示もしくはネットワーク経由の通知を行う制御手段を具備することを特徴とする請求項１１記載の記録再生装置。
【請求項１３】
ネットワーク経由でのタイトル情報の取得を行うか否かについてユーザが指定できる画面を表示させる制御手段を具備することを特徴とする請求項１乃至１２のいずれかに記載の記録再生装置。
【請求項１４】
外部機器からネットワーク経由で所定のコマンドが送信されたときに、該当するタイトル情報を所定のサーバからネットワーク経由で取得し、取得したタイトル情報を前記外部機器へ送信する制御手段を具備することを特徴とする請求項１乃至１３のいずれかに記載の記録再生装置。
【請求項１５】
コンテンツの再生処理を行う再生装置であって、
ネットワーク経由で得られるコンテンツ、およびリムーバブルな記録メディアから得られるコンテンツのうち少なくとも二つのコンテンツについて、再生処理を行うコンテンツのタイトル情報を前記コンテンツの取得元より前記コンテンツの再生前に取得するタイトル情報取得手段と、
前記タイトル情報取得手段により取得されるタイトル情報を履歴として一括で保持する履歴保持手段と、
コンテンツを取得する際に、そのコンテンツが既に再生済みであるか否かを前記履歴保持手段に保持される履歴に基づいて判別し、再生済みである場合にその旨を通知する制御手段と
を具備することを特徴とする再生装置。
【請求項１６】
コンテンツを取得することは、コンテンツをダウンロードすることを含むことを特徴とする請求項１５に記載の再生装置。
【請求項１７】
前記タイトル情報取得手段は、
ネットワーク経由で得られるコンテンツについては、そのコンテンツを提供するサーバからネットワーク経由でタイトル情報を取得し、
リムーバブルな記録メディアから得られるコンテンツについては、その記録メディアにタイトル情報が記録されている場合にはその記録メディアからタイトル情報を取得し、一方、その記録メディアにタイトル情報が記録されていない場合には当該記録メディアもしくは当該コンテンツに固有な情報をもとに所定のサーバからネットワーク経由でタイトル情報を取得する
ことを特徴とする請求項１５又は１６に記載の再生装置。
【請求項１８】
コンテンツの再生処理を行う再生装置と、コンテンツの記録処理および再生処理を行う記録再生装置とが、ネットワークを介して接続される記録再生システムであって、
前記再生装置は、
ネットワーク経由で得られるコンテンツ、およびリムーバブルな記録メディアから得られるコンテンツのうち少なくとも二つのコンテンツについて、再生処理を行うコンテンツのタイトル情報を前記コンテンツの取得元より前記コンテンツの再生前に取得する第１のタイトル情報取得手段と、前記第１のタイトル情報取得手段により取得されるタイトル情報を履歴として一括で保持する第１の履歴保持手段とを具備し、
前記記録再生装置は、
放送波を通じて得られるコンテンツ、ネットワーク経由で得られるコンテンツ、およびリムーバブルな記録メディアから得られるコンテンツの各々について、少なくとも再生処理を行ったコンテンツのタイトル情報を取得する第２のタイトル情報取得手段と、前記第２のタイトル情報取得手段により取得されるタイトル情報を履歴として保持する第２の履歴保持手段と、外部機器からネットワーク経由で送信される所定のコマンドに応じて、もしくは当該記録再生装置に対する所定の操作に応じて、前記第１の履歴保持手段に保持される履歴の中のタイトル情報および前記第２の履歴保持手段に保持される履歴の中のタイトル情報を前記外部機器へ送信する制御手段を具備し、
前記再生装置および前記記録再生装置の少なくとも一方は、コンテンツを取得する際に、そのコンテンツが既に再生済みであるか否かを前記履歴保持手段に保持される履歴に基づいて判別し、再生済みである場合にその旨を通知する制御手段を具備することを特徴とする記録再生システム。
【請求項１９】
コンテンツを取得することは、コンテンツをダウンロードすることを含むことを特徴とする請求項１８に記載の記録再生システム。
【請求項２０】
コンテンツの記録処理および再生処理を行う記録再生装置に適用されるタイトル情報管理方法であって、
放送波を通じて得られるコンテンツ、ネットワーク経由で得られるコンテンツ、およびリムーバブルな記録メディアから得られるコンテンツのうち少なくとも二つのコンテンツについて、再生処理を行ったコンテンツのタイトル情報を前記コンテンツの取得元より前記コンテンツの再生前に取得し、
前記取得したタイトル情報を履歴として一括で保持し、
コンテンツを取得する際に、そのコンテンツが既に再生済みであるか否かを前記履歴に基づいて判別し、再生済みである場合にその旨を通知する
ことを特徴とするタイトル情報管理方法。
【請求項２１】
コンテンツを取得することは、コンテンツをダウンロードすることを含むことを特徴とする請求項２０に記載のタイトル情報管理方法。
【発明の詳細な説明】
【技術分野】
【０００１】
本発明は、コンテンツの再生処理等を行う再生装置、記録再生装置、記録再生システム、およびタイトル情報管理方法に関する。
【背景技術】
【０００２】
一般に、コンテンツの記録処理および再生処理を行える記録再生装置には、放送波等を通じてハードディスク等に録画したコンテンツのタイトルを管理するライブラリ機能が備えられる。ただ、このライブラリ機能は、録画したコンテンツについてのみタイトルの管理を行うものであり、例えばレンタルショップ等からＤＶＤ（Digital Versatile Disc）を借りて視聴したコンテンツのタイトルなど、他のソースから再生したコンテンツのタイトルを管理することはできない。
【０００３】
なお、タイトルの管理とは異なるが、コンテンツの関連情報を管理する技術としては、種々なものが提案されている。
【０００４】
例えば、特許文献１には、コンテンツを受信すると共に公共メタデータ（ユーザ情報、番組録画情報、素材構成情報、再生制御情報、評価／統計情報、リンク情報、履歴情報）を受信して保管することが開示されている。また、特許文献２には、ＥＰＧデータのほかにコンテンツの関連データ（視聴率情報、録画率情報など）を保存することが開示されている。また、特許文献３には、コンテンツのダウンロード、ストリーミング再生、再生スキップなどの行為に関する履歴情報を記憶することが開示されている。
【特許文献１】特開２００５−１６７８１８号公報
【特許文献２】特開２００４−７２３９６号公報
【特許文献３】特開２００３−３１６３６７号公報
【発明の開示】
【発明が解決しようとする課題】
【０００５】
前述のように従来のライブラリ機能は、放送波等を通じて録画したコンテンツについてのみタイトルの管理を行うものである。このため、単一のソースから得たコンテンツのタイトルを管理することはできても、ソースの異なるコンテンツのタイトルを一元管理することができない。したがって、例えば、リムーバブルな記録メディア（パッケージメディア等）から再生したコンテンツのタイトルや、ネットワーク経由で入手して再生したコンテンツのタイトルなど、各種の再生済みコンテンツのタイトルを表示部に一覧表示させるようなことはできない。このことは、記録再生装置だけでなく再生装置（再生専用機）についても言えることである。
【０００６】
また、前述の特許文献１〜３の技術を用いても、上述したような一元管理を実現することはできない。
【０００７】
本発明は上記実情に鑑みてなされたものであり、ソースの異なるコンテンツのタイトルを一元管理することが可能な再生装置、記録再生装置、記録再生システム、およびタイトル情報管理方法を提供することを目的とする。
【課題を解決するための手段】
【０００８】
本発明に係る記録再生装置は、コンテンツの記録処理および再生処理を行う記録再生装置であって、放送波を通じて得られるコンテンツ、ネットワーク経由で得られるコンテンツ、およびリムーバブルな記録メディアから得られるコンテンツのうち少なくとも二つのコンテンツについて、再生処理を行うコンテンツのタイトル情報を前記コンテンツの取得元より前記コンテンツの再生前に取得するタイトル情報取得手段と、前記タイトル情報取得手段により取得されるタイトル情報を履歴として一括で保持する履歴保持手段と、コンテンツを取得する際に、そのコンテンツが既に再生済みであるか否かを前記履歴保持手段に保持される履歴に基づいて判別し、再生済みである場合にその旨を通知する制御手段とを具備することを特徴とする。
【０００９】
本発明に係る再生装置は、コンテンツの再生処理を行う再生装置であって、ネットワーク経由で得られるコンテンツ、およびリムーバブルな記録メディアから得られるコンテンツのうち少なくとも二つのコンテンツについて、再生処理を行うコンテンツのタイトル情報を前記コンテンツの取得元より前記コンテンツの再生前に取得するタイトル情報取得手段と、前記タイトル情報取得手段により取得されるタイトル情報を履歴として一括で保持する履歴保持手段と、コンテンツを取得する際に、そのコンテンツが既に再生済みであるか否かを前記履歴保持手段に保持される履歴に基づいて判別し、再生済みである場合にその旨を通知する制御手段とを具備することを特徴とする。
【００１０】
本発明に係る記録再生システムは、コンテンツの再生処理を行う再生装置と、コンテンツの記録処理および再生処理を行う記録再生装置とが、ネットワークを介して接続される記録再生システムであって、前記再生装置は、ネットワーク経由で得られるコンテンツ、およびリムーバブルな記録メディアから得られるコンテンツのうち少なくとも二つのコンテンツについて、再生処理を行うコンテンツのタイトル情報を前記コンテンツの取得元より前記コンテンツの再生前に取得する第１のタイトル情報取得手段と、前記第１のタイトル情報取得手段により取得されるタイトル情報を履歴として一括で保持する第１の履歴保持手段とを具備し、前記記録再生装置は、放送波を通じて得られるコンテンツ、ネットワーク経由で得られるコンテンツ、およびリムーバブルな記録メディアから得られるコンテンツの各々について、少なくとも再生処理を行ったコンテンツのタイトル情報を取得する第２のタイトル情報取得手段と、前記第２のタイトル情報取得手段により取得されるタイトル情報を履歴として保持する第２の履歴保持手段と、外部機器からネットワーク経由で送信される所定のコマンドに応じて、もしくは当該記録再生装置に対する所定の操作に応じて、前記第１の履歴保持手段に保持される履歴の中のタイトル情報および前記第２の履歴保持手段に保持される履歴の中のタイトル情報を前記外部機器へ送信する制御手段を具備し、前記再生装置および前記記録再生装置の少なくとも一方は、コンテンツを取得する際に、そのコンテンツが既に再生済みであるか否かを前記履歴保持手段に保持される履歴に基づいて判別し、再生済みである場合にその旨を通知する制御手段を具備することを特徴とする。
【００１１】
本発明に係るタイトル情報管理方法は、コンテンツの記録処理および再生処理を行う記録再生装置に適用されるタイトル情報管理方法であって、放送波を通じて得られるコンテンツ、ネットワーク経由で得られるコンテンツ、およびリムーバブルな記録メディアから得られるコンテンツのうち少なくとも二つのコンテンツについて、再生処理を行ったコンテンツのタイトル情報を前記コンテンツの取得元より前記コンテンツの再生前に取得し、前記取得したタイトル情報を履歴として一括で保持し、コンテンツを取得する際に、そのコンテンツが既に再生済みであるか否かを前記履歴に基づいて判別し、再生済みである場合にその旨を通知することを特徴とする。
【発明の効果】
【００１２】
本発明によれば、ソースの異なるコンテンツのタイトルを一元管理することが可能となる。
【発明を実施するための最良の形態】
【００１３】
以下、図面を参照して、本発明の実施の形態について説明する。
【００１４】
図１は、本発明の一実施形態に係る記録再生装置を含むシステムの構成の一例を示す図である。
【００１５】
本システムは、記録再生装置１、表示装置２、リモートコントローラ３（以下、「リモコン３」）、サーバ４、および端末５を有する。上記記録再生装置１、サーバ４、および端末５は、ネットワークＮを介して接続可能である。
【００１６】
記録再生装置１は、放送波Ｈを通じて得られるコンテンツや、ネットワークＮ経由で得られるコンテンツや、リムーバブルな記録メディア（パッケージメディア等）としての光ディスクＤから得られるコンテンツなど、ソースが異なる各種のコンテンツの記録処理および再生処理を行うことが可能な装置である。
【００１７】
表示装置２は、記録再生装置１から再生／出力されるコンテンツやこれに関連する各種の情報を画面上に表示する装置である。
【００１８】
リモコン３は、記録再生装置１もしくは表示装置２を操作するための入力装置である。
【００１９】
サーバ４は、コンテンツやそのコンテンツのタイトル情報、そのコンテンツに付随する別コンテンツやその別コンテンツのタイトル情報など、各種の情報をネットワークＮ経由で記録再生装置１等に提供することが可能な情報処理装置である。
【００２０】
端末５は、携帯電話機もしくは携帯情報端末などに相当するものであり、記録再生装置１に記録されている再生済みの全てのコンテンツのタイトル情報の一覧表示の指示など、各種の要求を記録再生装置１に対してネットワークＮ経由で行うことが可能な外部機器である。
【００２１】
記録再生装置１は、制御部１１、ネットワークインタフェース１２、光ディスク駆動部１３、記録部１４、再生処理部１５、タイトル情報取得部１６、記録再生タイトル履歴保持部１７、タイトル情報比較部１８、および表示処理部１９を有する。上記記録部１４は、チューナー部１４ａ、ＥＰＧ取得部１４ｂ、記録タイトル情報１４ｃ、記録処理部１４ｄ、およびハードディスク部１４ｅを有する。
【００２２】
制御部１１は、記録再生装置１全体の動作を司るプロセッサに相当するものであり、所定のプログラムを実行することによって各種の機能を実現する。
【００２３】
ネットワークインタフェース１２は、記録再生装置１とネットワークＮとのインタフェース処理を行う通信装置である。
【００２４】
光ディスク駆動部１３は、記録再生装置１に対して着脱可能な（リムーバブルな）記録メディアとしての光ディスクＤ（例えば、ＤＶＤ）を駆動してデータの読み出し等を行う装置である。
【００２５】
記録部１４は、放送波Ｈを通じて得られるコンテンツや、ネットワークＮ経由で得られるコンテンツなどを記録するものである。この記録部１４は、例えば、コンテンツの記録処理を行う毎にそのコンテンツのタイトル情報を記録履歴として記録タイトル情報保持部１４ｃに保持させる機能を有する。チューナー部１４ａは、アンテナで受信される放送波Ｈから放送番組などのコンテンツを取り出す。ＥＰＧ取得部１４ｂは、放送波Ｈを通じて提供されるＥＰＧ（Electronic Program Guide）を取得する。記録タイトル情報保持部１４ｃは、記録部１４において記録処理されるコンテンツのタイトル情報を例えばＥＰＧから取得して保持する。記録処理部１４ｄは、コンテンツやこれに関連する情報の記録処理を行う。ハードディスク部１４ｅは、記録処理部１４ｄにより記録処理されるコンテンツなどを格納する。このハードディスク部１４ｅにタイトル情報を記録するようにしてもよい。
【００２６】
再生処理部１５は、放送波Ｈを通じて得られるコンテンツの再生処理（リアルタイム再生、録画後の再生）を行ったり、ネットワークＮ経由で得られるコンテンツの再生処理（ストリーミング再生、ダウンロード後の再生）を行ったり、光ディスクＤから得られるコンテンツの再生処理を行ったりするものである。
【００２７】
タイトル情報取得部１６は、放送波Ｈを通じて得られるコンテンツ、ネットワークＮ経由で得られるコンテンツ、および光ディスクＤから得られるコンテンツの各々について、少なくとも再生処理を行ったコンテンツのタイトル情報を取得するものである。また、タイトル情報取得部１６は、再生処理を行ったコンテンツのタイトル情報のほか、記録処理を行ったコンテンツのタイトル情報（記録タイトル情報保持部１４ｃに保持されるタイトル情報）を取得することもできる。
【００２８】
上記タイトル情報取得部１６は、放送波Ｈを通じて得られるコンテンツについては、例えばＥＰＧからタイトル情報を取得し、ネットワークＮ経由で得られるコンテンツについては、例えばそのコンテンツを提供するサーバ４からネットワークＮ経由でタイトル情報を取得し、光ディスクＤから得られるコンテンツについては、その光ディスクＤにタイトル情報が記録されている場合にはその光ディスクＤからタイトル情報を取得し、一方、その光ディスクＤにタイトル情報が記録されていない場合には当該光ディスクＤもしくは当該コンテンツに固有な情報をもとに例えばサーバ４からネットワークＮ経由でタイトル情報を取得する。
【００２９】
また、上記タイトル情報取得部１６は、再生処理を行ったコンテンツに付随するものとして別途取得可能な別コンテンツ（例えば、ネットワークＮ経由でダウンロード可能な別コンテンツ）のタイトル情報を取得することができる。また、上記タイトル情報取得部１６は、端末５からネットワークＮ経由で所定のコマンドが送信されたときに、該当するタイトル情報を例えばサーバ４からネットワークＮで取得することもできる。
【００３０】
記録再生タイトル履歴保持部１７は、タイトル情報取得部１６により取得されるタイトル情報を履歴として保持するものである。この記録再生タイトル履歴保持部１７は、再生処理を行ったコンテンツのタイトル情報を履歴として保持するほか、記録処理を行ったコンテンツのタイトル情報（記録タイトル情報保持部１４ｃに保持されるタイトル情報）を履歴として保持することができる。
【００３１】
タイトル情報比較部１８は、端末５やリモコン３などからあるタイトル情報が示された場合に、そのタイトル情報と、記録再生タイトル履歴保持部１７に保持される履歴の中の各タイトル情報との比較を行って、検索対象のタイトル情報の有無の確認を行うものである。
【００３２】
表示処理部１９は、記録再生装置１から再生／出力されるコンテンツやこれに関連する各種の情報を表示するための画像を形成して表示装置２へ出力するものである。
【００３３】
上記制御部１１は、記録部１４において記録処理されるコンテンツのタイトル情報をＥＰＧから取得できなかった場合、ユーザに該当するタイトル情報の入力を促すメッセージを表示装置２に表示させたり、もしくはネットワークＮ経由で該当するタイトル情報を入手したりすることができる。
【００３４】
また、上記制御部１１は、リモコン３における記録再生装置１に対する所定の操作に応じて、記録再生履歴保持部１７に保持される履歴の中のタイトル情報の一覧などを表示処理部１９を通じて表示装置２に出力させることができる。
【００３５】
また、上記制御部１１は、端末５からネットワークＮ経由で送信される所定のコマンドをネットワークインタフェース１２にて受けた場合、記録再生履歴保持部１７に保持される履歴の中のタイトル情報の一覧などを端末５へ送信することができる。
【００３６】
また、上記制御部１１は、端末５からネットワークＮ経由で送信されるタイトル情報またはタイトル情報の一部をネットワークインタフェース１２にて受けた場合、そのタイトル情報を記録再生履歴保持部１７に保持される履歴の中から検索し、検索結果（検索対象のタイトル情報の有無など）を端末５に返信することができる。
【００３７】
また、上記制御部１１は、コンテンツのダウンロード時もしくは録画予約設定時に、そのコンテンツのタイトル情報を記録再生履歴保持部１７内から検索し、該当するタイトル情報が存在する場合、表示装置２（もしくは端末５）に対して注意を促す表示を行うことができる。
【００３８】
また、上記制御部１１は、タイトル情報を履歴として記録再生履歴保持部１７に保存するか否かについてユーザが指定できる画面を表示装置２（もしくは端末５）に表示させることができる。
【００３９】
また、上記制御部１１は、記録再生履歴保持部１７に保存される履歴についてユーザが変更（修正、削除など）できる画面を表示装置２（もしくは端末５）に表示させることができる。
【００４０】
また、上記制御部１１は、端末５から記録再生装置１へのアクセスがあった場合に、記録再生装置１と端末５との間で所定の認証処理（パスワードの照合など）を行い、認証が成功した場合に記録再生装置１から端末５への情報提供を許可することができる。
【００４１】
また、上記制御部１１は、端末５へ提供する情報に対し、上記認証処理を経ることによって端末５で復号可能となる暗号化処理を行うことができる。
【００４２】
また、上記制御部１１は、再生処理を行ったコンテンツに付随するものとして別途取得可能な別コンテンツのタイトル情報に関するメッセージを表示装置に表示させたり、ネットワークＮ経由で端末５に通知させたりすることができる。
【００４３】
また、上記制御部１１は、ネットワークＮ経由でのタイトル情報の取得を行うか否かについてユーザが指定できる画面を表示装置２に表示させることができる。
【００４４】
また、上記制御部１１は、端末５からネットワークＮ経由で所定のコマンドが送信されたときに、該当するタイトル情報をサーバ４からネットワークＮ経由で取得し、取得したタイトル情報を端末５へ送信することができる。
【００４５】
図２は、記録再生タイトル履歴保持部１７に保持される履歴の一例を示す図である。
【００４６】
履歴として記録再生タイトル履歴保持部１７に記録される個々のタイトル情報には、タイトル名、ジャンル、あらすじ、出演者・監督、再生回数、ソースなどの各種の情報が含まれている。このようにタイトルに関する基本的な情報（タイトル名、ジャンル、あらすじ、出演者・監督）のほか、タイトルが過去に何回再生されたかを示す「再生回数」や、タイトルがどのソースから得られたものであるかを示す「ソース」が履歴として保持される。この履歴の全部もしくは一部は、ユーザからの指示に応じて端末５もしくは表示装置２に表示させることができるようになっている。
【００４７】
図３〜図５は、コンテンツの再生処理においてタイトル情報を再生履歴として保存するための動作がコンテンツソース毎に異なることを示すフローチャートである。
【００４８】
まず、図３を参照して、放送波Ｈを通じて得られるコンテンツのタイトル情報を再生履歴として保存するための動作を説明する。
【００４９】
ここでは、放送波Ｈを通じて得られたコンテンツのタイトル情報は、すでに記録タイトル情報保持部１４ｃに保持されているものとする。
【００５０】
コンテンツの再生を行う際には、そのコンテンツのタイトル情報を再生履歴として保存するか否かが判定される（ステップＳ１１）。ここでは、再生を行う毎にユーザに保存を行うか否かの指定を促すようにしてもよいし、あるいは事前にユーザが設定した情報に従って保存を行うか否かを決定するようにしてもよい。
【００５１】
保存しない場合はそのまま処理を終了し、一方、保存する場合はそのコンテンツのタイトル情報を記録タイトル保持部１４ｃから取得する（ステップＳ１２）。
【００５２】
最後に、取得したタイトル情報を再生履歴として記録再生タイトル履歴保持部１７に格納する（ステップＳ１３）。
【００５３】
次に、図４を参照して、ネットワークＮ経由でストリーミングもしくはダウンロードにより得られるコンテンツのタイトル情報を再生履歴として保存するための動作を説明する。
【００５４】
ここでは、コンテンツを提供するサーバ４上にそのコンテンツのタイトル情報が保持されているものとする。
【００５５】
コンテンツの再生を行う際には、そのコンテンツのタイトル情報を再生履歴として保存するか否かが判定される（ステップＳ２１）。ここでは、再生を行う毎にユーザに保存を行うか否かの指定を促すようにしてもよいし、あるいは事前にユーザが設定した情報に従って保存を行うか否かを決定するようにしてもよい。
【００５６】
保存しない場合はそのまま処理を終了し、一方、保存する場合はそのコンテンツを提供するサーバ４から該当するタイトル情報をネットワークＮ経由で取得する（ステップＳ２２）。
【００５７】
最後に、取得したタイトル情報を再生履歴として記録再生タイトル履歴保持部１７に格納する（ステップＳ２３）。
【００５８】
なお、ネットワークＮ経由でストリーミングもしくはダウンロードにより得られるコンテンツの場合、そのコンテンツを提供するサーバ４がユーザの視聴履歴（タイトル情報を含む）を所有している場合もあり得る。その場合、タイトル情報の取得は再生時に行わず、端末５等から記録再生装置１へのアクセス（再生履歴の閲覧要求など）が生じた際に、一括してコンテンツサーバから上記視聴履歴を取得するようにしてもよい。
【００５９】
次に、図５を参照して、光ディスクＤから得られるコンテンツのタイトル情報を再生履歴として保存するための動作を説明する。
【００６０】
ここでは、タイトル情報がコンテンツと共に光ディスクＤに記録されている場合と、タイトル情報がコンテンツと共に光ディスクＤに記録されておらずコンテンツを提供するサーバ４上にそのタイトル情報が保持されている場合とがあり得るものとする。
【００６１】
コンテンツの再生を行う際には、そのコンテンツのタイトル情報を再生履歴として保存するか否かが判定される（ステップＳ３１）。ここでは、再生を行う毎にユーザに保存を行うか否かの指定を促すようにしてもよいし、あるいは事前にユーザが設定した情報に従って保存を行うか否かを決定するようにしてもよい。
【００６２】
保存しない場合はそのまま処理を終了し、一方、保存する場合はタイトル情報が光ディスクＤに内に存在するか否かが判定される（ステップＳ３２）。
【００６３】
存在する場合は光ディスクＤよりタイトル情報を取得する（ステップＳ３３）。一方、存在しない場合は、タイトル情報を取得するため、光ディスクＤに固有の情報（もしくはコンテンツに固有の情報）をサーバ４に送信するか否かが判定される（ステップＳ３４）。ここでは、再生を行う毎にユーザにネットワーク経由でのタイトル情報の取得を行うか否かの指定を促すようにしてもよいし、あるいは事前にユーザが設定した情報に従ってネットワーク経由でのタイトル情報の取得を行うか否かを決定するようにしてもよい。
【００６４】
ネットワーク経由でのタイトル情報の取得を行わない場合は処理を終了し、一方、ネットワーク経由でのタイトル情報の取得を行う場合は、光ディスクＤに固有の情報（もしくはコンテンツに固有の情報）をサーバ４に送信し（ステップＳ３５）、そのサーバ４よりタイトル情報を受信する（ステップＳ３６）。
【００６５】
最後に、取得したタイトル情報を再生履歴として記録再生タイトル履歴保持部１７に格納する（ステップＳ３７）。
【００６６】
上でも述べたように、タイトル情報を再生履歴として保存するか否かについては、ユーザが指定することができる。また、再生履歴としてタイトル情報が保存された後においても、ユーザは再生履歴の編集、削除、追加等を行うことができる。また、各コンテンツソースからタイトル情報を得ることができなかった場合、ユーザがリモコン３もしくは端末５を操作してインターネット上で検索を行って取得したタイトル情報や、ユーザがリモコン３もしくは端末５から直接入力するタイトル情報を、再生履歴として格納するようにしてもよい。
【００６７】
本実施形態による記録再生装置１は、端末５などの外部機器からネットワークＮ経由で送信されてくるタイトル情報を、記録再生タイトル履歴保持部１７に格納されている履歴の中、もしくは記録タイトル情報保持部１４ｃに保持されているタイトル情報の中から検索し、履歴の有無を返送することができる。また、ネットワークＮ経由で送信されてくるコマンドに応じて、履歴の全て又はその一部を送信することもできる。その際、履歴の情報が不正に外部機器に取得されることを防止するため、外部機器と記録再生装置１との間の認証処理を行うようにしてもよい。以下にその認証処理の一例を示す。
【００６８】
図６は、パスワードの確認による認証処理の一例を示す図である。
【００６９】
端末５は、ユーザによりパスワード「PWD」が入力されると、そのパスワード「PWD」をネットワーク経由で記録再生装置１へ送信する。
【００７０】
記録再生装置１は、パスワード「PWD」を受信すると、そのパスワード「PWD」が適正であるか否かを判定する。適正であることを確認すると、コマンド送信許可通知をネットワーク経由で端末５へ送信する。
【００７１】
端末５は、コマンド送信許可通知を受けた後、ユーザがあるタイトル「TITLE」が再生履歴に存在するかを確認するための検索要求を指示すると、そのタイトル「TITLE」の検索を要求するコマンドをネットワーク経由で記録再生装置１へ送信する。
【００７２】
記録再生装置１は、タイトル「TITLE」の検索を要求するコマンドを受信すると、そのタイトル「TITLE」を記録再生タイトル履歴保持部１７に格納されている履歴の中、もしくは記録タイトル情報保持部１４ｃに保持されているタイトル情報の中から検索する。検索の有無などを示す検索結果が得られると、その検索結果をネットワーク経由で端末５へ送信する。
【００７３】
端末５は、検索結果を受けると、その検索結果を画面に表示する。これにより、ユーザは検索結果を閲覧することができる。
【００７４】
なお、上述した認証処理においては、パスワード以外の別の情報を用いて履歴の保護を図るようにしてもよい。
【００７５】
また、本実施形態では、記録再生装置１によるコンテンツのダウンロードを行う際に、もしくは録画予約設定を行う際に、ダウンロード対象もしくは録画予約対象のタイトル情報を記録再生タイトル履歴保存部１７に保存されている履歴の中から検索し、該当するものが存在する場合に、ユーザに注意を促す画面の表示を行うことができる。
【００７６】
次に、図７および図８を参照して、端末５がネットワークＮを介して記録再生装置１に接続されているときに端末５の画面に表示される情報の例について説明する。
【００７７】
図７は、再生履歴の検索要求に応じて端末５に表示される画面の一例を示す図である。
【００７８】
表示Ａに示されるように、タイトル情報の入力を促す画面が端末５に表示されている状態において、例えば「タイトルＡ」が入力されると、この「タイトルＡ」がネットワークＮを通じて記録再生装置１へ伝えられ、「タイトルＡ」の検索が行われる。ここでは、再生履歴の中に「タイトルＡ」が存在していたものとする。
【００７９】
検索結果が端末５へ返されると、表示Ｂに示されるように、例えば“再生履歴情報が見つかりました。”というメッセージと共に検索された“タイトルＡ”を示す画面が端末５に表示される。
【００８０】
図８は、再生履歴の閲覧要求に応じて端末５に表示される画面の一例を示す図である。
【００８１】
表示Ｃに示されるように、タイトル情報を取得するか否かの指定を促す画面が端末５に表示されている状態において、例えば「ＹＥＳ」が指定されると、この「ＹＥＳ」がネットワークＮを通じて記録再生装置１へ伝えられ、再生履歴の読出が行われ、再生履歴内のタイトル名などが端末５へ返される。
【００８２】
検索結果が端末５へ返されると、表示Ｄに示されるように、例えば“再生履歴一覧”として“タイトルＡ”，“タイトルＢ”・・・を示す画面が端末５に表示される。
【００８３】
次に、図９および図１０を参照して、記録再生装置１に接続されている表示装置２の画面に表示される情報の例について説明する。
【００８４】
図９は、過去に再生したことのあるタイトルと同じものに対する録画予約が指示された場合に表示装置２に表示される画面の一例を示す図である。
【００８５】
例えば、テレビ番組等の録画予約の際、録画対象番組のＥＰＧのタイトル情報を記録再生タイトル履歴保持部１７に保持されている再生履歴の中から検索し、一致するものがある場合、図９に示されるように、例えば“本タイトルは過去に再生されています。”“録画予約を実行しますか？”というメッセージと共に、選択項目“ＹＥＳ／ＮＯ”を示す画面が表示装置２に表示される。
【００８６】
図１０は、過去に再生したことのあるタイトルと同じものに対するダウンロードが指示された場合に表示装置２に表示される画面の一例を示す図である。
【００８７】
例えば、ダウンロードコンテンツを視聴する際にも、ダウンロードを実行する際に、ダウンロード対象のタイトル情報を記録再生タイトル履歴から検索し、一致するものがある場合、図１０に示されるように、例えば“本タイトルは過去に再生されています。”“ダウンロードを実行しますか？”というメッセージと共に、選択項目“ＹＥＳ／ＮＯ”を示す画面が表示装置２に表示される。
【００８８】
また、あるコンテンツ内の情報で指定されたサーバからダウンロードされる別コンテンツには、映画の予告編等が含まれる場合がある。このような予告を含むコンテンツの場合、予告タイトルのタイトル名を取得することにより、ユーザが視聴したいコンテンツをリスト化することも可能である。この場合、例えば図１１に示されるように、予告タイトル名の一覧を示すリストを表示装置２もしくは端末５の画面に表示させる。
【００８９】
このようなリストにおいてチェックされたコンテンツの放送日、発売日、レンタル開始日、ダウンロード開始日、放送時刻等をタイトル名と共に記録再生タイトル履歴保持部１７において管理することにより、放送波の場合、自動的に録画予約を実行したり、その他該当日やその前日等に端末５にメッセージをメールで送信したりと、ユーザに視聴を促すことが可能となる。
【００９０】
なお、本実施形態では、記録再生タイトル情報保持部１７は、記録部１４のハードディスク等に記録されたコンテンツのタイトル情報や、過去にＤＶＤ等の着脱可能な記録メディアから再生したコンテンツのタイトル情報を管理する場合を説明したが、この形態に代えて、記録部１４のハードディスク等に現在記録されているコンテンツのタイトル情報のみを管理するように変形実施することも可能である。
【００９１】
（再生装置によるタイトル管理）
上の説明では、ソースの異なるコンテンツのタイトルを記録再生装置１により一元管理する場合の例を示したが、代わりに、コンテンツの再生処理を行う再生装置（再生専用機）１’により一元管理することも可能である。この場合の一例を以下に示す。
【００９２】
図１２は、ソースの異なるコンテンツのタイトルを、再生装置を用いて管理するシステムの一例を示す図である。なお、図１と共通する要素には同一の符号を付し、その具体的な説明を省略する。以下、図１と異なる部分を中心に説明する。
【００９３】
再生装置１’は、ネットワークＮ経由で得られるコンテンツ（ストリーミングコンテンツ）、およびリムーバブルな記録メディアである光ディスクＤから得られるコンテンツの各々について、再生処理部１５により再生処理を行ったコンテンツのタイトル情報を取得するタイトル情報取得部１６’（前述のタイトル情報取得部１６に類似するもの）と、このタイトル情報取得部１６’により取得されるタイトル情報を履歴として保持する再生タイトル履歴保持部１７’（前述の記録再生タイトル履歴保持部１７に類似するもの）とを有する。
【００９４】
上記タイトル情報取得部１６’は、ネットワークＮ経由で得られるコンテンツ（ストリーミングコンテンツ）については、例えばそのコンテンツを提供するサーバ４からネットワークＮ経由でタイトル情報を取得し、光ディスクＤから得られるコンテンツについては、その光ディスクＤにタイトル情報が記録されている場合にはその光ディスクＤからタイトル情報を取得し、一方、その光ディスクＤにタイトル情報が記録されていない場合には当該光ディスクＤもしくは当該コンテンツに固有な情報をもとに例えばサーバ４からネットワークＮ経由でタイトル情報を取得する。
【００９５】
（記録再生装置および再生装置によるタイトル管理）
これまでの説明では、ソースの異なるコンテンツのタイトルを、記録再生装置または再生装置を用いて管理する例を示したが、記録再生装置および再生装置を用いて管理することも可能である。この場合の一例を以下に示す。
【００９６】
図１３は、ソースの異なるコンテンツのタイトルを、記録再生装置および再生装置を用いて管理するシステムの一例を示す図である。なお、図１と共通する要素には同一の符号を付し、その具体的な説明を省略する。以下、図１と異なる部分を中心に説明する。
【００９７】
本システムは、前述の記録再生装置１、表示装置２、サーバ４、端末５に加えて、再生装置６を含んでいる。
【００９８】
再生装置６は、図１２に示した再生装置１’と同様の機能を有しており、ネットワークＮ経由で得られるコンテンツ（ストリーミングコンテンツ）、およびリムーバブルな記録メディアである光ディスクＤから得られるコンテンツの各々について、再生処理部２５により再生処理を行ったコンテンツのタイトル情報を取得するタイトル情報取得部２６と、このタイトル情報取得部２６により取得されるタイトル情報を履歴として保持する再生タイトル履歴保持部２７とを有する。
【００９９】
また、記録再生装置１は、図１に示した各種要素と同じものを備えている。
【０１００】
例えば、外部機器である端末５からネットワーク経由Ｎで所定のコマンドが記録再生装置１１に送信されてきた場合、もしくはリモコン３を通じて記録再生装置１に対する所定の操作があった場合、記録再生装置１側の制御部１１は、記録再生タイトル履歴保持部１７に保持されている履歴の中のタイトル情報および再生タイトル履歴保持部２７に保持されている履歴の中のタイトル情報を端末５もしくは表示装置２へ送ることができる。
【０１０１】
具体的には、記録再生装置１側の制御部１１は、自装置内の記録再生タイトル履歴保持部１７に保持されている履歴の中のタイトル情報を取得すると共に、ネットワーク経由で再生装置６側の再生タイトル履歴保持部２７に保持されている履歴の中のタイトル情報を取得する。取得した個々のタイトル情報の一覧を形成する際には、記録再生装置１側の情報と再生装置６側の情報とを別々のリストにして表示させるようにしてもよいし、１つのリストに共通化して表示させるようにしてもよい。
【０１０２】
このように各実施形態によれば、例えば、携帯電話などの外部機器から、記録再生装置や再生装置において過去に記録又は再生した、ソースの異なるコンテンツを全て確認することが可能となる。これにより、ユーザは一度見た経験のあるコンテンツを誤ってレンタルしたり購入したりすることを防ぐことが可能となる。また、所定のサーバへ再生履歴や記録履歴の中のタイトル情報を記録再生装置もしくは端末から送信することにより、当該サーバからユーザの嗜好に沿ったコンテンツや関連情報を記録再生装置に取り込むといったことを実現することが可能となる。
【０１０３】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１０４】
【図１】本発明の一実施形態に係る記録再生装置を含むシステムの構成の一例を示す図。
【図２】図１中の記録再生タイトル履歴保持部に保持される履歴の一例を示す図。
【図３】放送波を通じて得られるコンテンツのタイトル情報を再生履歴として保存するための動作を示すフローチャート。
【図４】ネットワーク経由でストリーミングもしくはダウンロードにより得られるコンテンツのタイトル情報を再生履歴として保存するための動作を示すフローチャート。
【図５】リムーバブルな記録メディアである光ディスクから得られるコンテンツのタイトル情報を再生履歴として保存するための動作を示すフローチャート。
【図６】パスワードの確認による認証処理の一例を示す図。
【図７】再生履歴の検索要求に応じて端末に表示される画面の一例を示す図。
【図８】再生履歴の閲覧要求に応じて端末に表示される画面の一例を示す図。
【図９】過去に再生したことのあるタイトルと同じものに対する録画予約が指示された場合に表示装置に表示される画面の一例を示す図。
【図１０】過去に再生したことのあるタイトルと同じものに対するダウンロードが指示された場合に表示装置に表示される画面の一例を示す図。
【図１１】表示装置もしくは端末の画面に表示される予告タイトル名の一覧リストの一例を示す図。
【図１２】ソースの異なるコンテンツのタイトルを、再生装置を用いて管理するシステムの一例を示す図。
【図１３】ソースの異なるコンテンツのタイトルを、記録再生装置および再生装置を用いて管理するシステムの一例を示す図。
【符号の説明】
【０１０５】
１…記録再生装置、１’，６…再生装置、２…表示装置、３…リモートコントローラ、４…サーバ、５…端末、１１，２１…制御部、１２，２２…ネットワークインタフェース、１３，２３…光ディスク駆動部、１４…記録部、１５，２５…再生処理部、１６，１６’，２６…タイトル情報取得部、１７…記録再生タイトル履歴保持部、１８…タイトル情報比較部、１９，２９…表示処理部、１７’，２７…再生タイトル履歴保持部。
【図１】
0005127318.tif 000002
【図２】
0005127318.tif 000003
【図３】
0005127318.tif 000004
【図４】
0005127318.tif 000005
【図５】
0005127318.tif 000006
【図６】
0005127318.tif 000007
【図７】
0005127318.tif 000008
【図８】
0005127318.tif 000009
【図９】
0005127318.tif 000010
【図１０】
0005127318.tif 000011
【図１１】
0005127318.tif 000012
【図１２】
0005127318.tif 000013
【図１３】
0005127318.tif 000014